(57)【要約】　　　（修正有）【課題】徴収した著作権使用料を正確且つ公平に信託者に配分する著作権使用料分配額算出構成を提供する。【解決手段】徴収著作権料の金額データを格納する格納部１と、合計金額を計算する基金計算部２と、作品データを格納する格納部３と、該音楽作品データから、音楽作品毎に著作権信託者の分配率を合計し、所定の数値にかけて音楽作品毎の作品ポイントを算出する計算部４と、音楽作品毎の作品ポイントを格納する格納部５と、使用された音楽作品の使用データを格納する格納部６と、重み付け要素に対応するウェイトデータを格納する格納部７と、音楽作品の使用データから、使用に関する重み付け要素を抽出し、該重み付け要素に対応するウェイトデータを、音楽作品毎の作品ポイントに掛け合わせて個別点数を算出する計算部８と、音楽作品毎の個別点数を格納する格納部９と、個別点数を合算して総点数を算出する計算部１０とを有している。【選択図】　　　　図２
2004005574.tif 000002
【特許請求の範囲】
【請求項１】
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データに該当する著作物作品毎の作品ポイントを、上記演算手段により抽出させて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を実行させることを特徴とする著作権使用料分配額算出方法。
【請求項２】
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データを基に、使用に関する重み付け要素を上記データ格納手段から上記演算手段により抽出させると共に、該重み付け要素に対応して規定されたウェイトデータを、使用された著作物作品毎の上記作品ポイントに該演算手段により掛け合わせて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を実行させることを特徴とする著作権使用料分配額算出方法。
【請求項３】
使用データに含まれる使用に関する重み付け要素に、著作物の使用回数による要素があり、上記データ格納手段に、該使用回数により、該重み付け要素に対応するウェイトデータが夫々規定されていることを特徴とする請求項２記載の著作権使用料分配額算出方法。
【請求項４】
使用データに含まれる使用に関する重み付け要素に、著作物の拡布方法の種別毎の要素があり、上記データ格納手段に、該拡布方法の違いにより、該重み付け要素に対応するウェイトデータが夫々規定されていることを特徴とする請求項２又は請求項３記載の著作権使用料分配額算出方法。
【請求項５】
上記データ格納手段に格納されている著作物作品データには、著作者や著作権者の構成、信託の有無、分配率などの著作権の変動履歴情報が含まれており、著作権料の徴収された期間におけるこれらの変動履歴情報に基づいて、上記演算手段により、著作物作品毎の作品ポイントの算出処理と、上記分配率に応じた著作権信託者の分配金額の算出処理を行わせることを特徴とする請求項１〜請求項４いずれか１つに記載の著作権使用料分配額算出方法。
【請求項６】
著作権非信託者であっても、著作権信託者との間に使用料の分配の約定がある場合に、該著作権信託者の分配率が他の著作権信託者との間で一定以上の場合には、上記著作権非信託者を著作権信託者として扱うように、上記データ格納手段にその者のデータを規定しておき、上記演算手段により、著作物作品毎の作品ポイント算出処理と、著作権信託者の分配金額算出処理を行わせることを特徴とする請求項１〜請求項５いずれか１つに記載の著作権使用料分配額算出方法。
【請求項７】
上記演算手段により、著作権非信託者の分配率を排して該分配率を再構成させ、使用された著作物作品毎の上記使用料に、再構成された分配率を該演算手段により掛け合わせて著作権信託者の分配金額を算出させることを特徴とする請求項１〜請求項６いずれか１つに記載の著作権使用料分配額算出方法。
【請求項８】
著作物の使用者から徴収された著作権料の金額データを格納する金額データ格納手段と、
所定の期間におけるそれらの金額データの合計金額を計算し、上記金額データ格納手段に格納する基金計算手段と、
少なくとも著作者乃至著作権者とその者の間の分配率、著作権信託の有無を含んだ著作物作品データを格納する作品データ格納手段と、
該著作物作品データから、著作物作品毎に、著作権信託者の分配率を合計し、所定の数値にかけて著作物作品毎の作品ポイントを算出するポイント計算手段と、
著作物作品毎の作品ポイントを格納するポイント格納手段と、
著作権料の徴収された期間において使用された著作物の使用データを格納する使用データ格納手段と、
上記期間において使用された著作物の使用データに該当する著作物作品毎の作品ポイントを抽出して個別点数を算出する個別点数計算手段と、
使用された著作物作品毎の個別点数を格納する個別点数格納手段と、
個別点数を合算して総点数を算出する総点数計算手段と、
徴収された上記著作権料の合計金額を総点数で割って１点単価を算出する１点単価計算手段と、
１点単価と個別点数を掛け合わせて、使用された著作物作品毎の使用料を算出する使用料計算手段と、
使用された著作物作品毎の使用料から、上記分配率に応じて、著作権信託者の分配金額を算出する分配金額計算手段と
を有することを特徴とする著作権使用料分配額算出装置。
【請求項９】
著作物の使用者から徴収された著作権料の金額データを格納する金額データ格納手段と、
所定の期間におけるそれらの金額データの合計金額を計算し、上記金額データ格納手段に格納する基金計算手段と、
少なくとも著作者乃至著作権者とその者の間の分配率、著作権信託の有無を含んだ著作物作品データを格納する作品データ格納手段と、
該著作物作品データから、著作物作品毎に、著作権信託者の分配率を合計し、所定の数値にかけて著作物作品毎の作品ポイントを算出するポイント計算手段と、
著作物作品毎の作品ポイントを格納するポイント格納手段と、
著作権料の徴収された期間において使用された著作物の使用データを格納する使用データ格納手段と、
著作物の使用データに含まれる重み付け要素に対応して規定されるウェイトデータを格納するウェイトデータ格納手段と、
上記期間において使用された著作物の使用データから、使用に関する重み付け要素を抽出し、該重み付け要素に対応して規定された上記ウェイトデータを、使用された著作物作品毎の上記作品ポイントに掛け合わせて個別点数を算出する個別点数計算手段と、
使用された著作物作品毎の個別点数を格納する個別点数格納手段と、
個別点数を合算して総点数を算出する総点数計算手段と、
徴収された上記著作権料の合計金額を総点数で割って１点単価を算出する１点単価計算手段と、
１点単価と個別点数を掛け合わせて、使用された著作物作品毎の使用料を算出する使用料計算手段と、
使用された著作物作品毎の使用料から、上記分配率に応じて、著作権信託者の分配金額を算出する分配金額計算手段と
を有することを特徴とする著作権使用料分配額算出装置。
【請求項１０】
上記使用データ格納手段に格納された使用データに含まれる使用に関する重み付け要素に、著作物の使用回数による要素があり、またそれに対応して上記ウェイトデータ格納手段に、該使用回数によるウェイトデータが夫々規定されていることを特徴とする請求項９記載の著作権使用料分配額算出装置。
【請求項１１】
上記使用データ格納手段に格納された使用データに含まれる使用に関する重み付け要素に、著作物の拡布方法の種別毎の要素があり、またそれに対応して上記ウェイトデータ格納手段に、該拡布方法によるウェイトデータが夫々規定されていることを特徴とする請求項９又は請求項１０記載の著作権使用料分配額算出装置。
【請求項１２】
上記作品データ格納手段に格納される著作物作品データには、著作者や著作権者の構成、信託の有無、分配率などの著作権の変動履歴情報が含まれており、著作権料の徴収された期間におけるこれらの変動履歴情報に基づいて、上記ポイント計算手段による著作物作品毎の作品ポイントの算出処理と、上記分配金額計算手段による分配率に応じた著作権信託者の分配金額の算出処理を行うことを特徴とする請求項８〜請求項１１いずれか１つに記載の著作権使用料分配額算出装置。
【請求項１３】
著作権非信託者であっても、著作権信託者との間に使用料の分配の約定がある場合に、該著作権信託者の分配率が他の著作権信託者との間で一定以上の場合には、上記著作権非信託者を著作権信託者として、上記ポイント計算手段による著作物作品毎の作品ポイント算出処理と、上記分配金額計算手段による著作権信託者の分配金額算出処理を行うことを特徴とする請求項８〜請求項１２いずれか１つに記載の著作権使用料分配額算出装置。
【請求項１４】
上記分配金額計算手段による著作権信託者の分配金額算出処理において、著作権非信託者の分配率を排して該分配率を再構成し、使用された著作物作品毎の上記使用料に、再構成された分配率を掛け合わせて著作権信託者の分配金額を算出することを特徴とする請求項８〜請求項１３いずれか１つに記載の著作権使用料分配額算出装置。
【請求項１５】
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データに該当する著作物作品毎の作品ポイントを、上記演算手段により抽出させて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を該コンピュータに実行させることを特徴とするコンピュータ・プログラム。
【請求項１６】
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データを基に、使用に関する重み付け要素を上記データ格納手段から上記演算手段により抽出させると共に、該重み付け要素に対応して規定されたウェイトデータを、使用された著作物作品毎の上記作品ポイントに該演算手段により掛け合わせて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を該コンピュータに実行させることを特徴とするコンピュータ・プログラム。
【請求項１７】
使用データに含まれる使用に関する重み付け要素に、著作物の使用回数による要素があり、上記データ格納手段に、該使用回数により、該重み付け要素に対応するウェイトデータが夫々規定されていることを特徴とする請求項１６記載のコンピュータ・プログラム。
【請求項１８】
使用データに含まれる使用に関する重み付け要素に、著作物の拡布方法の種別毎の要素があり、上記データ格納手段に、該拡布方法の違いにより、該重み付け要素に対応するウェイトデータが夫々規定されていることを特徴とする請求項１６又は請求項１７記載のコンピュータ・プログラム。
【請求項１９】
上記データ格納手段に格納されている著作物作品データには、著作者や著作権者の構成、信託の有無、分配率などの著作権の変動履歴情報が含まれており、著作権料の徴収された期間におけるこれらの変動履歴情報に基づいて、上記演算手段により、著作物作品毎の作品ポイントの算出処理と、上記分配率に応じた著作権信託者の分配金額の算出処理を行わせることを特徴とする請求項１５〜請求項１８いずれか１つに記載のコンピュータ・プログラム。
【請求項２０】
著作権非信託者であっても、著作権信託者との間に使用料の分配の約定がある場合に、該著作権信託者の分配率が他の著作権信託者との間で一定以上の場合には、上記著作権非信託者を著作権信託者として扱うように、上記データ格納手段にその者のデータを規定しておき、上記演算手段により、著作物作品毎の作品ポイント算出処理と、著作権信託者の分配金額算出処理を行わせることを特徴とする請求項１５〜請求項１９いずれか１つに記載のコンピュータ・プログラム。
【請求項２１】
上記演算手段により、著作権非信託者の分配率を排して該分配率を再構成させ、使用された著作物作品毎の上記使用料に、再構成された分配率を該演算手段により掛け合わせて著作権信託者の分配金額を算出させることを特徴とする請求項１５〜請求項２０いずれか１つに記載のコンピュータ・プログラム。
【請求項２２】
上記請求項１５〜請求項２１いずれか１つに記載されたコンピュータ・プログラムを格納したコンピュータ読み取り可能な記録媒体。
【発明の詳細な説明】
【０００１】
【発明の属する技術分野】
本発明は、著作権使用料分配額算出方法、同装置、同方法を実行するコンピュータ・プログラム及び記録媒体に関する。
【０００２】
【従来の技術】
著作権は、支分権のバンドルと言われている（著作隣接権も同様である）。このような著作物が使用された場合には、通常その対価としての著作権使用料が著作者乃至著作権者（著作権を譲り受けた権利者）に支払わなければならない。
【０００３】
ただ個々の著作者乃至著作権者が、その著作物を使用した者に著作権使用料の請求を起こし、その徴収を行わなければならないとすると、手続が煩雑になるばかりか、非常に手間もかかる。反対に他人の著作物を使用する者にとっては、作品中に含まれる個々の著作物の著作者乃至著作権者が誰かを調べた上で、夫々の著作権使用料を支払うというのでは、個々の著作物の著作者乃至著作権者の調査だけでも手間がかかり、著作者等の場合と同様なことが言えるばかりか、無断使用を助長しかねない。
【０００４】
そこで、たとえば音楽著作権などに関しては、著作者乃至著作権者が、信託契約締結などにより、その著作物の著作権使用料等の徴収や分配、その他（訴権などこれらの著作権の全般的な管理）について、特定の機関（社団法人日本音楽著作権協会など）に信託する制度が整備されている。尚、本願で特に著作権信託があるという場合、少なくとも著作物の著作権使用料の徴収や分配に関する信託契約が信託者（法律上は委託者であり、普通は著作者乃至著作権者；通常受益者でもある）と受託者（上記信託機関など）との間で結ばれているものとする。
【０００５】
そして音楽作品の著作権使用料については、一定の基準に従って、文化庁に届けられた使用料規程に所定の金額が定められており、任意の音楽作品を使用した者に対し、上記信託機関により、該使用料規定に従った著作権使用料が徴収されることになる。
【０００６】
また一般に、音楽の著作権使用料の徴収に於いて、著作物１曲毎の使用料を定めてそれを徴収する方法に依らない場合は、音楽作品の著作権使用料をまとめて徴収し、その後に分配計算を行う必要がある。そのような場合にさらに徴収された音楽作品の著作権使用料を、著作者乃至著作権者に分配するためには、まず音楽作品毎の著作権使用料を決め、その後音楽作品の権利者毎に分配する必要がある。
【０００７】
【発明が解決しようとする課題】
しかし、このような信託を受けた著作物に関しては、その著作権使用料の徴収や分配に関し、次のような問題がある。
【０００８】
▲１▼分配が出来ない使用料（留保）の発生
上記信託機関は、信託者から著作物（著作権）の信託を受けて、著作権使用料の徴収や分配、その他の管理を行うものであり、非信託者の著作権使用料を徴収し、分配する必要はないし、法制度的にもそのようなことはできない。すなわち音楽作品に含まれる著作物の使用者が上記信託機関に支払う著作権料は、該信託機関が信託を受けた著作物（著作権）の使用の対価であり、徴収した著作権使用料は当該信託機関の信託者にだけ分配するべきである。しかし、徴収した著作権使用料を著作物に単純に按分すると、上記信託機関の非信託者が創作に係わった著作物の場合、非信託者にも著作権使用料が割り付けられることになり、分配が出来ずに留保される使用料が発生する。留保された使用料は留保された時期の次の分配時の著作権使用料に組み入れることにより、徴収した著作権使用料を上記信託機関の信託者にだけ分配することが出来るが、経理処理の煩雑化に加え、分配時期の遅延等の問題が生じる。
【０００９】
▲２▼著作物毎の使用状況の反映
徴収した著作権使用料を著作物に単純に按分する場合、著作物の利用形態（著作物の利用に係る重み付け）等の著作物毎の事情が勘案されず、結果的に不公平な分配となる可能性がある。たとえば、ラジオやテレビなどのマスメディアによる全国放送などでは、多数の聴衆が想定され、これらのメディアでレコード演奏が行われる場合と、少数の者の前でレコード演奏が行われる場合とでは、同じ著作物の使用と言っても、同額の著作権使用料では、不公平な分配となる。
【００１０】
▲３▼著作者・著作権者の異動の反映
著作物の著作権（著作権者）は固定ではなく、異動（権利者の間の譲渡および権利者が非信託者→信託者または信託者→非信託者へ変更になる）が行われる。著作権使用料は著作物が使用された時期の著作権者に支払う必要があるが、著作権料が使用者から支払われ、分配される時期は使用或いは使用料が入金された時期より相当（たとえば３ヶ月以上）後になるため、分配すべき著作権者の譲渡による変更、非信託者から信託者へ或いは信託者から非信託者への異動の反映、信託者と非信託者との比率（分配率）を正確に把握しないと正しい分配が行われない。
【００１１】
もちろん以上のことは、音楽作品などの著作物に限定される問題ではなく、その他文芸・学術・美術など、その他の著作物に関しても共通な問題であり、著作隣接権などに関しても同様な問題があると言える。従って以下に言う著作権には、著作隣接権についても含むものとする。
【００１２】
本発明は、以上のような問題に鑑み創案されたもので、徴収した著作権使用料を正確且つ公平に信託者にだけ配分するため、これらの信託者に対する著作権使用料の分配額が算出できる方法を提供せんとするものである。合わせてそのような方法を実行できる装置、同方法を実行するコンピュータ・プログラム及び記録媒体についても提案する。
【００１３】
【課題を解決するための手段】
本発明に係る著作権使用料分配額算出方法は、
コンピュータの演算手段により、著作物の使用者から所定の期間において徴収された著作権料の合計金額を計算させるステップ（第１ステップ）と、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップ（第２ステップ）と、
著作権料の徴収された期間において使用された著作物の使用データに該当する著作物作品毎の作品ポイントを、上記演算手段により抽出させて個別点数を算出させるステップ（第３ステップ）と、
同じく上記演算手段により個別点数を合算させて総点数を算出せしめるステップ（第４ステップ）と、
徴収された上記著作権料の合計金額を、上記演算手段により総点数で割って１点単価を算出させるステップ（第５ステップ）と、
上記演算手段により１点単価と個別点数を掛け合わせて、使用された著作物作品毎の使用料を算出させるステップ（第６ステップ）と、
使用された著作物作品毎の使用料から、上記分配率に応じて、上記演算手段により著作権信託者の分配金額を算出させるステップ（第７ステップ）と
を実行させることを基本的特徴としている。
【００１４】
上記構成によれば、第２ステップで著作権信託者の分配率に基づく作品ポイントが算出され、それに基づき第３ステップで使用された著作物作品毎に個別点数が算出される。従って第４ステップで、使用された著作物作品全ての総点数を算出し、第１ステップで計算された徴収著作権料の総合計を、該総点数で割れば、１点単価が算出され、第６ステップで１点単価と個別点数を掛け合わせることで、使用された著作物作品毎の使用料が算出できる。その後第７ステップで、分配率に応じて、使用された各著作物に対する夫々の著作権信託者の分配金額が算出されることになる。
【００１５】
ここで、第２ステップにおける著作物作品毎の作品ポイントの算出処理を行っているのは、非信託者による留保（分配できない著作権使用料）を出さないようにするためである。すなわち、著作物作品毎により信託者と非信託者の構成比率、人数が異なるため、著作権非信託者の分配率を排して所定の数値にかけることにより、著作権非信託者の分配率を含まない比率に直しているのである。
【００１６】
請求項２の構成は、さらに著作物の利用形態（著作物の利用に係る重み付け）等の著作物毎の事情を、上記構成に組み入れて、結果的に公平な著作権使用料分配額が算出できるようにするための構成を提案するものである。その具体的な構成としては、
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データを基に、使用に関する重み付け要素を上記データ格納手段から上記演算手段により抽出させると共に、該重み付け要素に対応して規定されたウェイトデータを、使用された著作物作品毎の上記作品ポイントに該演算手段により掛け合わせて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を実行させることを特徴としている。
【００１７】
この構成では、著作物作品毎の作品ポイントの算出後に、著作物の利用形態に鑑み、著作権料の徴収された期間において使用された著作物の使用データから、使用に関する重み付け要素を抽出すると共に、該重み付け要素に対応して規定されたウェイトデータを、使用された著作物作品毎の上記作品ポイントに掛け合わせて個別点数を算出する処理を行っている。それにより、利用形態等により著作物の間の重み付けを行い、著作物毎の使用状況等の反映ができるようになる。すなわち、多く使用された著作物には使用料を多く割り付けることができる（請求項３）。また音楽作品などの著作物の場合、回数が多くても番組のテーマソングと、一般に使用された曲では、テーマソングの比率を下げるなどの要請にも対応できるようになる。さらに、同一の著作物が、ラジオやテレビなどのマスメディアによる全国放送などで使用される場合とローカル放送で使用される場合との間では、当然差があるため、このような場合の著作権使用料の分配に関して、不公平にならないように調整することもできるようになる（請求項４）。
【００１８】
すなわち、請求項３の構成は、使用データに含まれる使用に関する重み付け要素に、著作物の使用回数による要素があり、上記データ格納手段に、該使用回数により、該重み付け要素に対応するウェイトデータが夫々規定されていることを提案している。
【００１９】
また請求項４の構成は、使用データに含まれる使用に関する重み付け要素に、著作物の拡布方法の種別毎の要素があり、上記データ格納手段に、該拡布方法の違いにより、該重み付け要素に対応するウェイトデータが夫々規定されていることを提案している。
【００２０】
ここで拡布と言っているのは、著作物の種類によって、譲渡や貸し渡し、展示、データの状態での通信（有線・無線）・放送（ラジオ・テレビ・衛星放送・有線放送；音楽ではさらに生放送とレコード放送などによる違いも細かく分けられている）などによる伝達、或いはライブ（生）演奏など、著作者乃至著作権者以外の者に当該著作物の内容を伝達する行為を言う。
【００２１】
上述のように、著作権には異動（権利者の間の譲渡および権利者が非信託者→信託者または信託者→非信託者へ変更になる）があり、それに対し、著作権使用料の分配時期がたとえ後にずれるとしても、著作権使用料は著作物が使用された時期の著作者乃至著作権者に支払われる必要がある。そのため、分配すべき著作権者の譲渡による変更、非信託者から信託者へ或いは信託者から非信託者への異動の反映、信託者と非信託者との比率（分配率）を正確に把握するため、著作物作品データに、これらの著作権の変動履歴情報を含ませておき、著作権料の徴収された期間におけるこれらの変動履歴情報に基づいて、著作物作品毎の作品ポイントの算出処理と、上記分配率に応じた著作権信託者の分配金額の算出処理を行うものとする。
【００２２】
すなわち請求項５は、このような要請に対応する構成であり、上記データ格納手段に格納されている著作物作品データには、著作者や著作権者の構成、信託の有無、分配率などの著作権の変動履歴情報が含まれており、著作権料の徴収された期間におけるこれらの変動履歴情報に基づいて、上記演算手段により、著作物作品毎の作品ポイントの算出処理と、上記分配率に応じた著作権信託者の分配金額の算出処理を行わせることを規定している。
【００２３】
また音楽作品などの著作物では、著作権非信託者から著作権を譲り受け、且つ自身は著作権信託者である著作権者（例えば音楽出版社）と、著作権非信託者である他の著作者や著作権者との間で、後者の分配金額を前者が代わって受領し、最終的に後者の著作者等に夫々の金額を分配する場合がある。これらの者の間でそのような約定（例えば譲渡契約など）がなされた場合に、後者の（他の）著作者や著作権者は、上記のような機関に著作権信託を行っていなくても、前者の著作権者（この者は著作権信託者である）の分配率が一定以上の場合には、後者の著作者や著作権者の分も著作権信託者と同様に扱って、分配率を求め、最終的にこれらの者の分も含めて分配金額が決定された場合に、前者の著作権者から、後者の著作者や著作権者にも、夫々の分配金額が受けられるようにした。
【００２４】
すなわち請求項６は、このような要請に対応する構成であり、著作権非信託者であっても、著作権信託者との間に使用料の分配の約定がある場合に、該著作権信託者の分配率が他の著作権信託者との間で一定以上の場合には、上記著作権非信託者を著作権信託者として扱うように、上記データ格納手段にその者のデータを規定しておき、上記演算手段により、著作物作品毎の作品ポイント算出処理と、著作権信託者の分配金額算出処理を行わせることを規定している。
【００２５】
上述のように信託により徴収した著作権料を分配する機関などでは、上記のような場合を除き、通常著作権非信託者に対しては、徴収した著作権料の分配を行う必要はない。従って使用された著作物作品毎の使用料が決まった場合、留保分を出さないようにして各作品毎に徴収した著作権料を分配する必要がある。そのため、該著作物作品毎の著作権信託者の構成比率（分配比率）に応じて按分するようにした。
【００２６】
すなわち請求項７は、このような要請に対応する構成であり、上記演算手段により、著作権非信託者の分配率を排して該分配率を再構成させ、使用された著作物作品毎の上記使用料に、再構成された分配率を該演算手段により掛け合わせて著作権信託者の分配金額を算出させることを規定している。実際の分配率の再構成のやり方としては、たとえば、信託者分の分配率を合計し、それを分母に、個々の信託者の分配率を分子として、その著作物作品毎の分配率を再構成することなどが考えられる。それによって、著作権非信託者分を除いた分配率が再構成されることになり、著作権非信託者の留保分を出さないようにして、各作品毎に徴収した著作権料が分配されることになる。
【００２７】
請求項８〜請求項１４の各構成は、上記請求項１〜請求項７までの方法の構成を、装置の構成として捉え直し規定されたものである。
【００２８】
そのうち請求項８に係る著作権使用料分配額算出装置の構成は、上記請求項１の方法に対応しており、具体的には、
著作物の使用者から徴収された著作権料の金額データを格納する金額データ格納手段と、
所定の期間におけるそれらの金額データの合計金額を計算し、上記金額データ格納手段に格納する基金計算手段と、
少なくとも著作者乃至著作権者とその者の間の分配率、著作権信託の有無を含んだ著作物作品データを格納する作品データ格納手段と、
該著作物作品データから、著作物作品毎に、著作権信託者の分配率を合計し、所定の数値にかけて著作物作品毎の作品ポイントを算出するポイント計算手段と、
著作物作品毎の作品ポイントを格納するポイント格納手段と、
著作権料の徴収された期間において使用された著作物の使用データを格納する使用データ格納手段と、
上記期間において使用された著作物の使用データに該当する著作物作品毎の作品ポイントを抽出して個別点数を算出する個別点数計算手段と、
使用された著作物作品毎の個別点数を格納する個別点数格納手段と、
個別点数を合算して総点数を算出する総点数計算手段と、
徴収された上記著作権料の合計金額を総点数で割って１点単価を算出する１点単価計算手段と、
１点単価と個別点数を掛け合わせて、使用された著作物作品毎の使用料を算出する使用料計算手段と、
使用された著作物作品毎の使用料から、上記分配率に応じて、著作権信託者の分配金額を算出する分配金額計算手段と
を有することを特徴としている。
【００２９】
請求項９に係る算出装置の構成は、上記請求項２の方法に対応しており、具体的には、
著作物の使用者から徴収された著作権料の金額データを格納する金額データ格納手段と、
所定の期間におけるそれらの金額データの合計金額を計算し、上記金額データ格納手段に格納する基金計算手段と、
少なくとも著作者乃至著作権者とその者の間の分配率、著作権信託の有無を含んだ著作物作品データを格納する作品データ格納手段と、
該著作物作品データから、著作物作品毎に、著作権信託者の分配率を合計し、所定の数値にかけて著作物作品毎の作品ポイントを算出するポイント計算手段と、
著作物作品毎の作品ポイントを格納するポイント格納手段と、
著作権料の徴収された期間において使用された著作物の使用データを格納する使用データ格納手段と、
著作物の使用データに含まれる重み付け要素に対応して規定されるウェイトデータを格納するウェイトデータ格納手段と、
上記期間において使用された著作物の使用データから、使用に関する重み付け要素を抽出し、該重み付け要素に対応して規定された上記ウェイトデータを、使用された著作物作品毎の上記作品ポイントに掛け合わせて個別点数を算出する個別点数計算手段と、
使用された著作物作品毎の個別点数を格納する個別点数格納手段と、
個別点数を合算して総点数を算出する総点数計算手段と、
徴収された上記著作権料の合計金額を総点数で割って１点単価を算出する１点単価計算手段と、
１点単価と個別点数を掛け合わせて、使用された著作物作品毎の使用料を算出する使用料計算手段と、
使用された著作物作品毎の使用料から、上記分配率に応じて、著作権信託者の分配金額を算出する分配金額計算手段と
を有することを特徴としている。
【００３０】
請求項１０に係る算出装置の構成は、上記請求項３の方法に対応しており、具体的には、上記使用データ格納手段に格納された使用データに含まれる使用に関する重み付け要素に、著作物の使用回数による要素があり、またそれに対応して上記ウェイトデータ格納手段に、該使用回数によるウェイトデータが夫々規定されていることを特徴としている。
【００３１】
請求項１１に係る算出装置の構成は、上記請求項４の方法に対応しており、具体的には、上記使用データ格納手段に格納された使用データに含まれる使用に関する重み付け要素に、著作物の拡布方法の種別毎の要素があり、またそれに対応して上記ウェイトデータ格納手段に、該拡布方法によるウェイトデータが夫々規定されていることを特徴としている。
【００３２】
請求項１２に係る算出装置の構成は、上記請求項５の方法に対応しており、具体的には、上記作品データ格納手段に格納される著作物作品データには、著作者や著作権者の構成、信託の有無、分配率などの著作権の変動履歴情報が含まれており、著作権料の徴収された期間におけるこれらの変動履歴情報に基づいて、上記ポイント計算手段による著作物作品毎の作品ポイントの算出処理と、上記分配金額計算手段による分配率に応じた著作権信託者の分配金額の算出処理を行うことを特徴としている。
【００３３】
請求項１３に係る算出装置の構成は、上記請求項６の方法に対応しており、具体的には、著作権非信託者であっても、著作権信託者との間に上記譲渡契約等がある場合に、該著作権信託者の分配率が他の著作権信託者との間で一定以上の場合には、上記著作権非信託者を著作権信託者として、上記ポイント計算手段による著作物作品毎の作品ポイント算出処理と、上記分配金額計算手段による著作権信託者の分配金額算出処理を行うことを特徴としている。
【００３４】
請求項１４に係る算出装置の構成は、上記請求項７の方法に対応しており、具体的には、上記分配金額計算手段による著作権信託者の分配金額算出処理において、著作権非信託者の分配率を排して該分配率を再構成し、使用された著作物作品毎の上記使用料に、再構成された分配率を掛け合わせて著作権信託者の分配金額を算出することを特徴としている。
【００３５】
請求項１５〜請求項２１までの構成は、上記請求項１〜請求項７までの方法構成を、コンピュータに実行させるために、該コンピュータで実行可能なプログラムについて規定している。
【００３６】
すなわち、上述した課題を解決するための構成として、上記各ステップを、コンピュータの構成を利用して実行する、該コンピュータで読み込まれて実行可能なコンピュータ・プログラムにつき開示する。もちろんこれらの構成は、コンピュータ・プログラムとしてだけではなく、後述するように、同様な機能を有するプログラムを記録した記録媒体の構成（請求項２２）として提供されても良いことは言うまでもない。この場合、コンピュータとは中央演算処理装置の構成を含んだ汎用的なコンピュータの構成の他、特定の処理に向けられた専用機などを含むものであっても良く、中央演算処理装置の構成を伴うものであれば特に限定はない。
【００３７】
上記各ステップを実行させるためのこのようなプログラムが、コンピュータに読み出されると、請求項１〜請求項７に規定された各ステップと同様なステップが実行されることになる。
【００３８】
また既存のハードウェア資源を用いてこのコンピュータ・プログラムを実行することにより、既存のハードウェアで新たなアプリケーションとしての本発明の方法が容易に実行できるようになる。さらにこのようなコンピュータ・プログラムが前述の記録媒体に記録されることにより、これをソフトウェア商品として容易に配布、販売することができるようになる。加えて記録媒体の構成としては、上述した形式の場合の他、ＲＡＭやＲＯＭなどの内部記憶装置の構成やハードディスクなどの外部記憶装置の構成であっても良く、そのようなプログラムがそこに記録されれば、本発明に規定された記録媒体に含まれることは言うまでもない。
【００３９】
尚、請求項１５〜請求項２１記載の各ステップのうち一部のステップを実行する処理は、コンピュータに組み込まれた機能（コンピュータにハードウェア的に組み込まれている機能でも良く、該コンピュータに組み込まれているオペレーティングシステムや他のアプリケーションプログラムなどによって実現される機能でも良い）によって実現され、前記プログラムには、該コンピュータによって達成される機能を呼び出すあるいはリンクさせる命令が含まれていても良い。
【００４０】
これは、請求項１５〜請求項２１に規定された各ステップの一部が、例えばオペレーティングシステムなどによって達成される機能の一部で代行され、その機能を実現するためのプログラムないしモジュールなどは直接記録されているわけではないが、それらの機能を達成するオペレーティングシステムの機能の一部を、呼び出したりリンクさせるようにしてあれば、実質的に同じ構成となるからである。
【００４１】
上記プログラムは、それ自身使用の対象となる他、後述のように記録媒体に記録されて配布乃至販売され、また通信などにより送信されて、譲渡の対象とすることもできるようになる。
【００４２】
そのうち、請求項１５の構成は、請求項１の構成に対応する構成であり、その具体的構成は、
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データに該当する著作物作品毎の作品ポイントを、上記演算手段により抽出させて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を該コンピュータに実行させることを特徴とするコンピュータ・プログラムである。
【００４３】
請求項１６の構成は、請求項２の構成に対応する構成であり、その具体的構成は、
コンピュータの演算手段により、著作物の使用者から所定の期間において徴収された著作権料の合計金額を計算させるステップと、
少なくとも著作者乃至著作権者とその者の間の分配率、著作権信託の有無を含んで上記コンピュータのデータ格納手段に格納されている著作物作品データから、著作物作品毎に、著作権信託者の分配率を上記演算手段により合計させ、所定の数値にかけて著作物作品毎の作品ポイントを該演算手段に算出させるステップと、
著作権料の徴収された期間において使用された著作物の使用データを基に、使用に関する重み付け要素を上記データ格納手段から上記演算手段により抽出させると共に、該重み付け要素に対応して規定されたウェイトデータを、使用された著作物作品毎の上記作品ポイントに該演算手段により掛け合わせて個別点数を算出させるステップと、
同じく上記演算手段により個別点数を合算させて総点数を算出せしめるステップと、
徴収された上記著作権料の合計金額を、上記演算手段により総点数で割って１点単価を算出させるステップと、
上記演算手段により１点単価と個別点数を掛け合わせて、使用された著作物作品毎の使用料を算出させるステップと、
使用された著作物作品毎の使用料から、上記分配率に応じて、上記演算手段により著作権信託者の分配金額を算出させるステップと
を該コンピュータに実行させることを特徴とするコンピュータ・プログラムである。
【００４４】
請求項１７に規定されたコンピュータ・プログラムの構成は、請求項３の構成に対応する構成であり、使用データに含まれる使用に関する重み付け要素に、著作物の使用回数による要素があり、上記データ格納手段に、該使用回数により、該重み付け要素に対応するウェイトデータが夫々規定されていることを特徴としている。
【００４５】
請求項１８に規定されたコンピュータ・プログラムの構成は、請求項４の構成に対応する構成であり、使用データに含まれる使用に関する重み付け要素に、著作物の拡布方法の種別毎の要素があり、上記データ格納手段に、該拡布方法の違いにより、該重み付け要素に対応するウェイトデータが夫々規定されていることを特徴としている。
【００４６】
請求項１９に規定されたコンピュータ・プログラムの構成は、請求項５の構成に対応する構成であり、上記データ格納手段に格納されている著作物作品データには、著作者や著作権者の構成、信託の有無、分配率などの著作権の変動履歴情報が含まれており、著作権料の徴収された期間におけるこれらの変動履歴情報に基づいて、上記演算手段により、著作物作品毎の作品ポイントの算出処理と、上記分配率に応じた著作権信託者の分配金額の算出処理を行わせることを特徴としている。
【００４７】
請求項２０に規定されたコンピュータ・プログラムの構成は、請求項６の構成に対応する構成であり、著作権非信託者であっても、著作権信託者との間に使用料の分配の約定がある場合に、該著作権信託者の分配率が他の著作権信託者との間で一定以上の場合には、上記著作権非信託者を著作権信託者として扱うように、上記データ格納手段にその者のデータを規定しておき、上記演算手段により、著作物作品毎の作品ポイント算出処理と、著作権信託者の分配金額算出処理を行わせることを特徴としている。
【００４８】
請求項２１に規定されたコンピュータ・プログラムの構成は、請求項７の構成に対応する構成であり、上記演算手段により、著作権非信託者の分配率を排して該分配率を再構成させ、使用された著作物作品毎の上記使用料に、再構成された分配率を該演算手段により掛け合わせて著作権信託者の分配金額を算出させることを特徴としている。
【００４９】
さらに請求項２２の構成は、上述のように、請求項１４〜請求項２１いずれか１つに記載のコンピュータ・プログラムが格納されたコンピュータ読み取り可能な記録媒体について規定している。すなわち、これらのコンピュータ・プログラムは、記録媒体に格納されて、取引の対象とすること或いは実際に実行することなども可能である。
【００５０】
上記方法やプログラム（プログラムを記録した記録媒体）を実行するコンピュータ或いは装置を構成するコンピュータは、１つの構成（スタンドアローン型のコンピュータなど）であっても良いが、それに限定されるわけではなく、ネットワークを構成する複数のコンピュータ（複数のサーバなど）で構成され、前記各ステップや各手段でなされる処理は、それらのコンピュータにおいて（必要であれば適当な通信構成を介して）分散して実行されるように、プログラムに設定されるようにしても良い。
【００５１】
【発明の実施の形態】
以下、本発明の実施の形態を図示例と共に説明する。
図１は、本発明方法の実行プログラムがＣＤ−ＲＯＭやフレキシブルディスクなどの記録媒体から読み出されて、該プログラムを実行するコンピュータ１００及び本発明方法を実行するために必要な他のコンピュータ２００〜４００によるシステム構成を示している。同図に示すように、該コンピュータ１００は、後述する基金計算コンピュータ２００、作品データ登録コンピュータ３００及び使用データ登録コンピュータ４００と共に、使用された音楽作品に関し徴収された著作権料の分配金額を計算するシステムの一部を構成する。
【００５２】
該コンピュータ１００の構成は、システムバス１０１を介してつながる、ＣＰＵ１０２、ＲＡＭ１０３やＲＯＭ１０４などの内部記憶装置、ハードディスクドライブ１０５やＣＤ−ＲＯＭドライブ１０６などの外部記憶装置、キーボード１０７やマウス１０８などの入力装置、ディスプレイ１０９やプリンタ１１０などの出力装置、及びローカルエリアネットワークなどのネット接続を行う通信回路１１１を備える通常の構成であり、上記システムバス１０１を介してこれらの間で必要なデータや命令のやり取りが行われる。
【００５３】
上記記録媒体から本発明方法の実行プログラムが読み出されると、上記ハードディスクドライブ１０５に格納される。そして該プログラムが、ＣＰＵ１０２上で実行されると、該ハードディスクドライブ１０５上には、後述するポイント格納部５と、ウェイトデータ格納部７と、個別点数格納部９とが形成されることになる。ここでウェイトデータ格納部７は、上記キーボード１０７やマウス１０８などの入力装置を使用して、後述するように予め決められたウェイトデータを入力しておくこともできるし、また上記実行プログラム中にデフォルトで用意されたこれらのデータが入力され、必要に応じて上記入力装置で新たなデータの入力或いはデータ訂正・削除ができるようになっている。
【００５４】
また上記コンピュータ１００は、ネット接続を行う通信回路１１１を介して、基金計算コンピュータ２００、作品データ登録コンピュータ３００及び使用データ登録コンピュータ４００に接続されており、これらのコンピュータに夫々蓄積されている金額データ格納部１の徴収金額データ、作品データ格納部３の登録音楽作品データ、使用データ格納部６の実際に作成されたものに含まれる音楽著作物の使用データの取り込みができるようになっている。
【００５５】
また後述するように、基金計算コンピュータ２００には、本発明の構成である基金計算部２の構成が備えられており、随時入力されてくる著作権料の徴収分の総計を所定の期間毎（例えば３ヶ月毎）に計算する処理がそこで行われる。
【００５６】
図２は、図１のようなシステムで構成される本発明の一実施例にかかる著作権使用料分配額算出装置の機能ブロック図である。
【００５７】
同図に示すように、音楽作品（著作物）の使用者から徴収された著作権料の金額データを格納する金額データ格納部１と、所定の期間においてそれらの金額データの合計金額を計算し、上記金額データ格納手段に格納する基金計算部２と、少なくとも音楽作品の著作者乃至著作権者とその者の間の分配率、著作権信託の有無を含んだ音楽作品に関する作品データを格納する作品データ格納部３と、該音楽作品データから、音楽作品毎に、著作権信託者の分配率を合計し、所定の数値にかけて音楽作品毎の作品ポイントを算出するポイント計算部４と、音楽作品毎の作品ポイントを格納するポイント格納部５と、著作権料の徴収された期間において使用された音楽作品の使用データを格納する使用データ格納部６と、音楽作品の使用データに含まれる重み付け要素に対応して規定されるウェイトデータを格納するウェイトデータ格納部７と、上記期間において使用された音楽作品の使用データから、使用に関する重み付け要素を抽出し、該重み付け要素に対応して規定された上記ウェイトデータを、使用された音楽作品毎の上記作品ポイントに掛け合わせて個別点数を算出する個別点数計算部８と、使用された音楽作品毎の個別点数を格納する個別点数格納部９と、個別点数を合算して総点数を算出する総点数計算部１０と、徴収された上記著作権料の合計金額を総点数で割って１点単価を算出する１点単価計算部１１と、１点単価と個別点数を掛け合わせて、使用された音楽作品毎の使用料を算出する使用料計算部１２と、使用された音楽作品毎の使用料から、上記分配率に応じて、著作権信託者の分配金額を算出する分配金額計算部１３とを有している。
【００５８】
このうち上記金額データ格納部１と基金計算部２の構成は、上述のように、基金計算コンピュータ２００で構成されている。また作品データ登録コンピュータ３００には、音楽作品データの登録が随時なされて、そこに複数の作品データが格納されている。また使用データ登録コンピュータ４００には、実際に使用された音楽作品の使用データが随時登録され、そこに複数の使用データが格納されている。
【００５９】
さらに上記ポイント計算部４、個別点数計算部８、総点数計算部１０、１点単価計算部１１、使用料計算部１２、分配金額計算部１３は、ＣＰＵ１０２の上記プログラムの実行によって構成される。
【００６０】
図３は、上記作品データ格納部３に格納されるデータのデータテーブルが示されており、そのデータ項目中には、少なくとも作品を識別するための作品コード、作品の名称を示す作品名、著作者乃至著作権者を識別するための権利者コード、音楽作品中の権利者の役割［詞グループ（作詞、補作詞、訳詞）、曲グループ（作曲、編曲）、出版社など］を示す権利者識別項目、各権利者の名称を示す権利者名、各権利者が音楽著作権信託機関に著作権の信託をしているか否かの区分を示す権利者区分、各権利者が分配を受ける比率を示す分配率などが含まれている。またこれらのデータは、著作権の譲渡、信託・非信託の異動、など、期間中に変動があるため、これらの作品データは、著作者や著作権者の構成、信託の有無、分配率などに関して全ての変動履歴情報が含まれている。従って著作権料の徴収された期間におけるこれらの変動履歴情報に基づいて、後述するポイント計算部４によって音楽作品毎の作品ポイントの算出処理がなされたり、分配金額計算部１３による信託者の分配金額の算出処理がなされたりすることになる。
【００６１】
図４は、上記使用データ格納部６に格納されるデータのデータテーブルが示されており、この図では放送で使用された音楽作品データの共通項目が示されている。そのデータ項目中には、徴収種目、ＳＶ、ブランケット記号、使用者、使用年月日などが登録されている。これらのうちＳＶやブランケット記号などの細目については後述する。尚、アンダーライン部分は入力項目を示している。
【００６２】
図５は、上記放送番組で使用された具体的な音楽作品に関するデータ項目であり、そこには作品コード、作品名、使用時間、使用回数、特殊項目などがある。ここでもアンダーライン部分は入力項目を示しており、またそれがない部分は見出しまたは登録済みの作品データ格納部３から読み出されて表示される項目である。さらに特殊項目のｗは、番組のテーマソングに使用されたことを示している。これらの徴収種目、ＳＶ、ブランケット記号、使用時間、使用回数及び特殊項目などは、作品ポイントに掛け合わされるウェイトデータを引き出すための後述する重み付け要素に該当する。
【００６３】
すなわち、本来音楽作品の１回の使用に対して、使用の対価である著作権料が徴収されるのが理想であるが、その使用回数のカウントが難しかったり、或いは後述のように利用形態によっては、音楽作品の１回の利用に対してそれを聴取する者が多数いる場合などの場合は、使用の対価も通常の場合と異なっていなければ公平性に欠ける。そのため、後述するように使用データ格納部６に格納されるデータの中には、その利用形態の項目が、上記重み付け要素に相当する項目として設けられており、後述する個別点数計算処理においてその利用形態に応じた個別点数計算処理が行われる。
【００６４】
以上のような実施例構成において、図６のように、上記基金計算部２により、金額データ格納部１から、所定の期間中において音楽作品の使用者から徴収された著作権料が読み出され、それらの合計金額が計算される（ステップＳ１０１）。該合計金額は再び金額データ格納部１に格納される（ステップＳ１０２）。
【００６５】
そして上記作品データ格納部３から音楽作品データが読み出され（ステップＳ１０３）、上記ポイント計算部４により、音楽作品毎に、上記音楽作品データ中に含まれる著作権信託者の分配率が合計され（ステップＳ１０４）、所定の数値（例えば１００という数値）にかけあわされて、音楽作品毎の作品ポイントが算出される（ステップＳ１０５）。算出された作品ポイントは全て音楽作品毎に、上記ポイント格納部５に格納される（ステップＳ１０６）。ただし作品ポイントの算出は、上述したように、所定の期間毎に行われる。これは、音楽作品毎に、著作者・著作権者の異動や信託者・非信託者の異動、或いは分配率の変更などがあり、期間毎にこれらを算出しなければならないからである。尚、作品ポイントの算出方法の詳細は後述する。
【００６６】
次に実際に使用された音楽作品にその期間に徴収された著作権使用料は支払われるべきであり、その場合の計算を行う必要がある。ただしその場合でも、例えば使用回数や、マスメディア放送などによる音楽作品の使用などでは、必然的に利用のされ方の重みが違うので、所定の期間に使用された音楽作品の利用形態に鑑み、使用データ格納部６中に格納される該期間において使用された音楽作品の使用データから、使用に関する上記重み付け要素が抽出される（ステップＳ１０７）と共に、上記ウェイトデータ格納部７から該重み付け要素に対応して規定されたウェイトデータが読み出され（ステップＳ１０８）、個別点数計算部８によって、使用された音楽作品毎の上記作品ポイントに掛け合わされて、個別点数が算出される（ステップＳ１０９）。この計算方法に関しては後述する。そして使用された音楽作品毎の該個別点数は、個別点数格納部９に格納される（ステップＳ１１０）。
【００６７】
所定の期間内の全て（使用された）の音楽作品の個別点数は、該個別点数格納部９から、読み出されて、上記総点数計算部１０によって、総合計（総点数）が算出される（ステップＳ１１１）。
【００６８】
上述のように、上記金額データ格納部１には、所定の期間中において音楽作品の使用者から徴収された著作権料の総合計が格納されており、該合計金額と上記総点数が読み出されて、上記１点単価計算部１１により、合計金額が総点数で割られて１点単価が算出される（ステップＳ１１２）。
【００６９】
そして上記使用料計算部１２により、１点単価と上記期間に使用された音楽作品毎の個別点数が掛け合わされて、使用された音楽作品毎（１曲毎）の使用料が算出される（ステップＳ１１３）。尚、この段階で、１曲使用料を上記所定期間を単位として合算し、所定の期間中に徴収された著作権料の総合計との差額を算出して、計算端数金とし、次の分配期間にまで繰り越すために、金額データ格納部１に格納する。
【００７０】
最後に上記分配金額計算部１３により、使用された音楽作品毎（１曲毎）の使用料から、上記分配率に応じて、著作権信託者の分配金額が算出される（ステップＳ１１４）。
【００７１】
この場合、後述するような特殊な場合を除き、著作権非信託者には、信託により徴収した著作権料の分配金を支払う必要がなく、留保分を出さないようにして、徴収した著作権料を各作品毎に分配する必要があるので、次のようにして分配率の再構成処理がなされる。すなわち使用された音楽作品毎の使用料が、上述のような要領で使用料計算部１２により決まった場合、本実施例構成では、信託者分の分配率を合計し、それを分母に、個々の信託者の分配率を分子として、その著作物作品毎の分配率を再構成することになる（著作権非信託者の分配率を排して再計算がなされる）。それによって、著作権非信託者分を除いた分配率が再構成されることになり、著作権非信託者の留保分を出さないようにして、徴収した著作権料の分配計算（１曲使用料×再構成後の分配率）がなされることになる。
【００７２】
音楽作品に関しては、著作権非信託者から著作権を譲り受け、且つ自身は著作権信託者である音楽出版社と、著作権非信託者である他の著作者や著作権者との間で、後者の分配金額を前者が代わって受領し、最終的に後者の著作者等に夫々の金額を分配する場合がある。これらの者の間でそのような約定（例えば譲渡契約など）がなされた場合に、後者の（他の）著作者や著作権者は、音楽著作権の信託処理を行う機関に著作権信託を行っていなくても、著作権信託者の一人である音楽出版社の分配率が一定以上の場合には、非信託者の著作者や著作権者の分も著作権信託者と同様に扱って、分配率を求め、最終的にこれらの者の分も含めて分配金額の決定を行い、音楽出版社から、非信託者の著作者や著作権者にも、夫々の分配金額が受けられるようにした。
【００７３】
上述のように、音楽作品毎の作品ポイント計算処理には、特殊な事情が存在する。本実施例におけるその計算処理の詳述に関し、以下に説明する。
【００７４】
まず、音楽作品毎に非信託者と信託者の著作権の比率（分配率）に応じ、音楽作品の著作権者が全員信託者であったときの当該音楽作品のポイントを１００％とし、非信託者の比率を減じた残りをポイントとして算出する。
【００７５】
すなわち
▲１▼作品データ格納部３には、上述のように、著作権の異動履歴情報が異動内容の届を受理した日（受付日）をキーに登録されている。従って著作権の異動情報を正しく反映させるため、複数の著作権の異動履歴情報の中から、著作権使用料の徴収時期に応じて予め決められた基準日の履歴情報を抽出し、計算処理用マスターとして、同じく作品データ格納部３の所定の領域に書き出す。
▲２▼計算処理用マスターに登録された、権利者各々の識別（作詞、作曲、編曲、補作詞、訳詞、音楽出版等）により、詞グループ（作詞、補作詞、訳詞）と曲グループ（作曲、編曲）、出版者の３区分に分類し、詞グループ、曲グループ毎の分配率の合計を記録する。
ここで、記録した分配率合計により、
ア．　改作者（補作詞、編曲、訳詞）がいないとき、詞グループの分配率合計が５０％（１／２）かそれ以上であれば、詞グループは音楽出版との間に譲渡契約がないと判断する。
イ．　改作者がいないとき、曲グループの分配率合計が５０％（１／２）かそれ以上であれば、曲グループは音楽出版との間に譲渡契約がないと判断する。
ウ．　編曲がいて補作詞・訳詞がいないとき、詞グループの分配率合計が５／１２以上であれば、詞グループは音楽出版との間に譲渡契約がないと判断する。
エ．　編曲がいて補作詞・訳詞がいないとき、曲グループの分配率合計が７／１２以上であれば、曲グループは音楽出版との間に譲渡契約がないと判断する。
オ．　補作詞・訳詞がいて編曲がいないとき、詞グループの分配率合計が７／１２以上であれば、詞グループは音楽出版との間に譲渡契約がないと判断する。
カ．　補作詞・訳詞がいて編曲がいないとき、曲グループの分配率合計が５／１２以上であれば、曲グループは音楽出版との間に譲渡契約がないと判断する。
以上の判断結果を記録する。
▲３▼計算処理用マスターに記録された全権利者の分配率を合算する。
但し、
ア．　上記信託機関の信託者か否かを作品データ格納部３に登録された権利者各々の「権利者区分」により判定し、非信託者の分配率は合計の対象としない。
イ．　権利者が非信託者と判定された時でも、当該非信託者が音楽出版との間に上述のようにして譲渡契約があると判断されれば、合計の対象とする（非信託者の識別と詞曲グループ別の契約有無判断結果を使う）。
▲４▼　上記▲３▼の結果得た分配率に対し、上記ポイント計算部４によって、定数（たとえば１００）が掛けられ、その値はポイント格納部５へ出力される。
【００７６】
例として、音楽作品Ａ（詞４／１２、曲４／１２、出４／１２であれば、ポイント＝１００）、音楽作品Ｂ（詞６／１２但し非信託者、曲６／１２であれば、ポイント＝５０）、音楽作品Ｃ（詞６／１２但し非信託者、曲３／１２、出３／１２であれば、ポイント＝５０）のように計算される。
【００７７】
尚、音楽出版社との間に譲渡契約のある非信託者は信託者扱いにするが、権利者別の分配金額を直接送金することは出来ないため、非信託者の分配金額は譲渡契約を締結している先の音楽出版者に送金する必要がある。そのため分配金額計算部１３には、非信託者の分配金額算出処理の結果データに譲渡契約先の音楽出版者の権利者コードを付記するものとする。
【００７８】
また音楽作品毎の重み付け要素には次のようなものがあり、個別点数計算においては、次のようにしてその計算に用いられる。
【００７９】
使用曲目データの１件毎に、使用データ格納部６に使用データとして記載された重み付け要素の事項により、ウェイトデータ格納部７からウェイトデータを取り出し（重み付けの判断を行い）、事前に作成されポイント格納部５に格納された各音楽作品毎の作品ポイントと掛け合わせることにより、使用曲目毎の個別点数が算出される。その場合の重み付け要素の種類の例と該要素に対応するウェイトデータの例を次に説明する。
ａ．使用回数…調査対象期間中に著作物が使用された回数
ｂ．ＳＶ…使用施設の規模、放送局の大小、等に応じた定数
ｃ．時間変換…音楽の使用時間を所定時間を単位として定数化
ｄ．特殊コード…放送の場合、著作物の使用方法に応じた定数
例：放送（公共放送）の場合：通常使用＝○、テーマ音楽＝その１／◎
放送（民放）の場合：通常使用＝○、テーマ音楽＝１／□
など
【００８０】
以上のような重み付け要素に対応して決まるウェイトデータをウェイトデータ格納部７から取り出し、期間中に使用された前記音楽作品毎の作品ポイントに掛け合わされて個別点数の計算が行われるが、その重み付け要素に対応するウェイトデータの例を、以下に説明する。
使用回数…使用曲目データに記載の数字をそのまま使用
ＳＶ…使用曲目データに記載のＳＶ記号によりＳＶ変換テーブルを検索し、その値を使用
時間変換…使用曲目データの使用時間の一定時間を単位とし、一定時間増す毎に予め定めた値を付加
特殊コード…使用曲目データに記載の特殊コードにより特殊コードテーブルを検索し、その値を使用
作品ポイント…事前に音楽作品毎に算出していた作品ポイント
など
【００８１】
以上の全要素を掛け合わせたものを期間中に使用された各音楽作品毎の個別点数とし、使用曲目データを識別するキー（作品コード、ブランケット計算単位、徴収種目等）を付記して、個別点数格納部９に出力する。
【００８２】
一般に、音楽の著作権使用料の徴収に於いて、著作物１曲毎の使用料を定めてそれを徴収する方法に依らない場合は、本計算方法により音楽作品１曲毎の著作権使用料を留保が出ないように計算し、その後に分配計算を行うという本発明方法を適用することが出来る。
【００８３】
このような本発明の計算処理がなされた後、分配計算を行う対象業務（著作権使用料の徴収単位）としては、次のような例があり、また各々の特徴は以下のとおりである。
【００８４】
１）演奏（社交場、上演、演奏会等での音楽の使用に関する著作権使用料）。音楽作品毎の使用状況等を反映させる要素として、使用回数、バリュー（使用料）、時間などがある。
【００８５】
２）放送（公共放送事業者、一般放送事業者、有線放送事業者、ＣＡＴＶ事業者での音楽の使用に関する著作権使用料）。
音楽作品毎の使用状況等を反映させる要素として、使用回数、ＳＶ、時間、特殊コードなどがある。
【００８６】
３）貸与（貸レコード事業者から徴収したＣＤ等の貸与に関する著作権使用料）。
音楽作品毎の使用状況等を反映させる要素として、使用回数、時間などがある。
【００８７】
４）通信カラオケ（通信カラオケ事業者から徴収した、通信カラオケでの著作物のサーバへの蓄積と端末への配信に関する著作権使用料）。
音楽作品毎の使用状況等を反映させる要素として、サーバへの蓄積数、端末数、使用回数（アクセス数）などがある。
【００８８】
５）私的録音録画補償金（著作権法に基づく私的録音録画補償金制度により、デジタル方式による録音録画の政令指定機器・記録媒体を用いて複製する場合の補償金）。
音楽作品毎の使用状況等を反映させる要素として、バリュー（放送等の使用曲目報告書に記載の使用料）などがある。
【００８９】
６）インタラクティブ配信（インターネットを介した音楽配信に関する著作権使用料）。
音楽作品毎の使用状況等を反映させる要素として、使用回数（リクエスト回数）、バリュー（使用料）などがある。
【００９０】
７）上記以外
上記以外の音楽の使用に伴う著作権使用料の徴収に於いても、音楽作品１曲毎の使用料を定めてそれを徴収する方法に依らない場合は、音楽作品毎の使用状況等を音楽作品の使用実態に即して設定することで、本計算方法により音楽作品１曲毎の著作権使用料を留保の出ないように計算し、その後に分配計算を行う方法を適用することが出来る。
【００９１】
以上詳述した本実施例によれば、徴収された使用音楽作品の著作権料に対して留保分の発生がなくなり、信託者にのみ（上述のように音楽出版社との間で譲渡契約がある場合は非信託者に支払われる例外はあるが）分配することができるようになる。また音楽作品の利用形態に応じて公平な分配も可能になる。さらに著作者・著作権者の構成やこれらの者の間での分配率の変動、音楽著作権信託機関への信託・非信託の変動が、途中で生じても、音楽作品が使用された期間における著作者・著作権者（但し信託者乃至信託者に準じて扱われる場合に限る）へ、著作権使用料の分配金が正確に支払われることになる。
【００９２】
尚、本発明の著作権使用料分配額算出方法は、上述の実施例にのみ限定されるものではなく、本発明の要旨を逸脱しない範囲内において種々変更を加え得ることは勿論である。
【００９３】
【発明の効果】
以上、説明したように本発明の請求項１〜請求項２２記載の著作権使用料分配額算出方法、同装置、同方法を実行するコンピュータ・プログラム及び記録媒体によれば、所定の期間内に徴収された使用著作物の著作権料に対して留保分の発生がなくなり、信託者にのみ分配することができるようになるという優れた効果を奏し得る。
【００９４】
また請求項２〜請求項５、請求項９〜請求項１２及び請求項１５〜請求項１８の構成によれば、著作物の利用形態に応じて、徴収された著作権料の公平な分配も可能になる。
【図面の簡単な説明】
【図１】本発明方法実行するために必要なコンピュータ１００〜４００によるシステム構成を示す説明図である。
【図２】上記システムで構成される本発明の一実施例にかかる著作権使用料分配額算出装置の機能ブロック図である。
【図３】作品データ格納部３に格納されるデータのデータテーブルを示す説明図である。
【図４】使用データ格納部６に格納されるデータのデータテーブルを示す説明図である。
【図５】放送番組で使用された具体的な音楽作品に関するデータ項目を示す説明図である。
【図６】本実施例構成における処理の流れを示すフローチャートである。
【符号の説明】
１　　　金額データ格納部
２　　　基金計算部
３　　　作品データ格納部
４　　　ポイント計算部
５　　　ポイント格納部
６　　　使用データ格納部
７　　　ウェイトデータ格納部
８　　　個別点数計算部
９　　　個別点数格納部
１０　　　総点数計算部
１１　　　１点単価計算部
１２　　　使用料計算部
１３　　　分配金額計算部
１００　　　コンピュータ
１０１　　　システムバス
１０２　　　ＣＰＵ
１０３　　　ＲＡＭ
１０４　　　ＲＯＭ
１０５　　　ハードディスクドライブ
１０６　　　ＣＤ−ＲＯＭドライブ
１０７　　　キーボード
１０８　　　マウス
１０９　　　ディスプレイ
１１０　　　プリンタ
１１１　　　通信回路
２００　　　基金計算コンピュータ
３００　　　作品データ登録コンピュータ
４００　　　使用データ登録コンピュータ
【図１】
2004005574.tif 000003
【図２】
2004005574.tif 000004
【図３】
2004005574.tif 000005
【図４】
2004005574.tif 000006
【図５】
2004005574.tif 000007
【図６】
2004005574.tif 000008